(57)【要約】  「異なる２点の発電源の円運動パワー発電水カマシン及び円運動パワー発電メカニックマシンＪ、異なる２点の発電源の円運動パワー発電水カマシン（３３）は水力原理によって稼動し、それは水管（２）,（３）,（４）と（５）を用い、その各内側には浮き（４４）が予定されており、それらは伝達システムに繋がれたケーブルを引きずり、そのケーブルは発電機（２５）と（５７）に繋がっている。前記の水管（２）,（３）,（４）と（５）は電気モーター８により動かされる構造になっている。その機械の代替バージョンである円運動パワー発電メカニックマシンは二つの可動ブッシング（６０）と（６１）に取り付けられた軸（５９）に組まれた中央ホイール（７３）により構成され、その軸（５９）には二つの滑車（６２）と（６３）が組まれており、それらは回転運動を軸（６８）に組まれた滑車（６６）と（６７）ヘ伝え、その軸（６８）には滑車（６９）も組まれ、その動きを発電機（７２）ヘ伝える。ホイール（７３）は二つの滑車（７４）と（７５）に支えられ動き、それらは電気モーターチェーン（７６）に繋がれ（７７）より力を受ける。
2013518206.tif 000002
【特許請求の範囲】
【請求項１】
「異なる２点の発電源の円運動パワー発電水カマシン」は完全自動の発電のために完全開発された機械であり、高回転と低回転の異なる２点の発電源を持つことが特徴である。ローラー（５３）および（５４）の上に置かれた機械の全重量を支える円形ホイール（１）の下にモーター（８）があり、そのローラーが回ることにより軸（４３）を動かす。その軸に滑車（１４）が取り付けられ、それが軸（４３）の運動を吸収し、低回転の発動機（５７）に伝える。そこで最初の発電源となる１点目が完了する。第二点は水管（２）,（３）,（４）と（５）内の浮きの完全自動の上昇の動きによるものであり、横軸より少し下になる時に浮きは上昇し始め、最初の浮きの動きが起こり滑車（４９）が解かれ、鋼鉄ケーブル（２２）が浮き（４４）に引かれ、歯車（３２）,（３３）と（９）ヘ動きを伝え、歯車（９）から動きがチェーンにより歯車（１０）に伝わり、軸（１９）が回ることにより発電機（２５）を動かし、浮きの動きの一部を完結させる。内部滑車（４９）により歯車（９）が動かされることにより、同時に滑車（４８）が解かれ、その動きを歯車（３６）と（３７）ヘ伝え、銅鉄ケーブル（５６）を巻く自動運動を起こすが、歯車（３６）と（３７）の外部の動きが逆になった。そのため歯止め装置（１２）の動きを変更する必要があり、歯車（９）からのチェーンが歯車（１１）に繋がれ、それが歯車（１３）を回転させ、歯止め装置付の歯車（１２）の動きを伝え、第二の浮きの自動運動が完結されその動きを完全に発電機（２５）ヘ伝える。その動きは第二点の発電源であり、但し高回転である。この機械のメインポイントであり目立つ点として、機械を支えるローラー（５３）と（５４）の動きがある。最初の発電源が回転する軸（４３）は、浮きの動きによる発電機（２５）への動きの伝達まで、機械の動きを止めずに行い、そこに第二点の高回転の発電源がある。また四つのチェーンが繋がれた歯車（９）も要求する。チェーン（６）は歯車（３２）と（３３）から来て歯車（９）に繋がる。他のチェーン（７）は歯車（３６）と（３７）から来て歯車（９）に繋がる。他のチェーン（１５）は歯車（９）から出て歯止め装置付の歯車（１０）に繋がる。他のチェーン（１６）は歯車（９）から出て歯車（１１）に繋がる。その全ての動きは側画から見られるものであり、機械の反対側においてその全ての動きが繰り返される。
【請求項２】
「円運動パワー発電メカニックマシン」は発電のために完全に開発された機械であり、その特徴として機械を動かす力が、二つの可動ブッシング（６０）と（６１）に取り付けられた軸（５９）に組まれた中央ホイール（７３）により発生することにある。その軸（５９）には二つの滑車（６２）と（６３）が組まれており、それらは回転運動を軸（６８）に組まれた滑車（６６）と（６７）ヘ伝え、その軸（６８）には滑車（６９）も組まれ、その動きを発電機（７２）ヘ伝える。ホイール（７３）は二つの滑車（７４）と（７５）に支えられ動き、それにより大量の発電が可能になる。何故なら半径が違う円の滑車の動きであるためである。その理由をもって、既に完全に稼動しているこの発電機械の全ての動きが要求される。
【発明の詳細な説明】
【発明の概要】
【０００１】
本件発明の一つの側面は、異なる２点の発電源の円運動パワー発電水カマシンに関するものであり、もう一つの側面は、円運動パワー発電メカニックマシンと呼ばれるマシンに関するものである。
【０００２】
異なる２点の発電源の円運動パワー発電水カマシンは、電力を発生させるためのマシンであって、異なる２点の発電源がある。
【０００３】
第２の発電源は、管内の浮きの動きを中央歯車９ヘ伝え、次にそれはすべての動きを再利用し、それを軸１９ヘ伝え、その軸が発電機２５を回転させる。それにより２点目の発電源が完了するが、それは高回転の、浮きにより発生する運動である。
【０００４】
本特許はまた同じ種類の発電マシンの変形を取り上げる、それは、水力の原理を用いた最初のモデルとは違って、完全な機械的原理をベースとする。
【０００５】
円運動パワー発電メカニックマシンと定義付けされた前に取り上げられた機械の代替バージョンは、二つの滑車と一つ若しくは更に多くの滑車より大きい中央ホイールを持ち、それは可動の中央軸と二つのブッシングにより支えられ、中央運動をその重量と共に、電動モーターに引かれた二つの滑車に移すことが可能であり、その力を発電機ヘ移すことが可能である。
【図面の簡単な説明】
【０００６】
【図１】水カマシンを側面から見た図であり、異なる回転速度による、一つ以上の発電源を示す。
【図２】続けて水カマシンの図であり、一つだけの水管にて鋼鉄ケーブルがどのように巻かれそして解かれ、自動的に水管の外部ヘの運動伝達をするか表示する。
【図３】機械の代替バージョンが表示される図であり、前面から見た図である。
【発明を実施するための最良の形態】
【０００７】
本発明は、本文にて取り上げられた機械の二つのバージョンについては詳細描写により完全に理解することが出来る。それは下記の図をべースにして行われる。
【０００８】
図１は本文で取り上げられる機械の最初の種類を描き、それは水力原理に基づき作動し、円形ホイール１により構成された機械の総重量がローラー５３および５４、そして水に満たされた水管２,３,４と５に伝えられ、そこでは浮き４４が動いている。図２の浮き４４が上がると、水管内のケーブル２２を動かし、そのケーブル２２は滑車４９から解かれ、外部歯車３２,３３と９を動かす。
【０００９】
その歯車９から他のチェーンが、メカニカルチェーンの方向ヘ出て行き、歯止め装置１０が連結されたメカニカルチェーンの歯車を動かし、その動きが軸１９に伝えられ、発電機２５を作動させることにより初めての自動的運動を行う。ここが、第二の発電源であるがそれは高回転によるものである。
【００１０】
浮きが動くと、滑車４８のケーブル５６が巻かれ、滑車４９のケーブルは解かれる。滑車４９のケーブルを解く動きにより、歯車９を回転させることが出来、それは歯車３６と３７を動かし、鋼鉄ケーブル５６を巻く二つの水管の滑車は動き、ケーブルを巻き、次の浮きの上昇のためにすべて準備し、水管が水平状態を少し超えると、次の上昇が行われ、連続してそれが行われるので二つ目の自動化が確立する。
【００１１】
第一と第二の自動化が行われたことが分かります。但し、水管が２回目に通過する時には発電機２５の軸１９に向けた動きは、ケーブルが異なった動きをするため逆回転をする。従って、歯車９に異なった方向のもう一つのチエーンを取り付けることが可能であり、図が表示する通りそれは歯止め装置１０には連結されず歯車１１に連結される。歯車１１は歯止め装置が連結された歯車１２を動かし、その動きを軸１９ヘ伝える。それにより発電機２５を動かす軸１９に対して機械の回転を常に同じ方向で維持することが出来た。
【００１２】
機械の図は側面から見られている、ここで描写される動きは水管４と５にて起こり、従って水管２と３にも同じ数の歯車があり、同様な動きをし、同様の歯止め装置と同様の鋼鉄ケーブル、浮きそして該当する動きは水管４と５の描写と同様のものである。図では反対側が見られないが、但しそれは全く図で見られるものと同様である。次の数字が見られる。
【００１３】
軸４３に向けた歯止め装置付の歯車２３、メカニカルチェーン１７、歯車２０、歯止め装置連結の歯車２１、メカニカル歯車４０、発電機２５、ベルトが連結された滑車２４、空気取り入れバルブ３０,３１,３４,３５,４１,４２,４６と４７、機械の円運動により円形定規３９を通り過ぎる際にバルブが開き浮きの動きを可能とする。二つのロール５３と５４、適切に結合された三つのチェーン歯車そして小さな電動モーター８は機械を支えるセットを構成する。
【００１４】
それが機械全体を支えるセットを形成し、その小さなモーターの力により水管を回転することが出来、浮きが取り付けられている水管の動きを可能にする。機械を構築するためのバランス管２８と２９、縦方向に可動ブッシングニつを有する中央支持軸４３、それらによりローラー５３と５４上で機械が回転することが可能になる。
【００１５】
軸４３が可動式になるため、そして二つのローラーの重量が機械軸４３に滑車１７を付けることを可能とするため、その動きが発電機５７に向けられ、発電機は可動式テーブル５８に置かれその重量がこの機械のローラー５３と５４に伝えられることを可能にするため、運動を簡単にし、高い発電が可能となる。この伝達により低回転で発電が可能となり、最初の発電点を構成する。
【００１６】
図２はこの機械の各水管内の浮き４４の作動を説明する。その説明は滑車４８と４９を含む水管のみに対し行われ、浮き４４が滑車４９を上げるとそれに巻かれているケーブルが解かれ、その動きが同時に二つの水管の外部歯車３２と３３ヘ伝えられ、それが歯車９を回転させ、その動きが二つの水管の外部歯車３６と３７ヘ伝えられ、その歯車は内部滑車４８を回転させ、水管内でケーブルを巻く動きを発生させて、巻く動きと解く動きを完結させる。注意すべき点は全ての動きは浮きが上がるところから始まり、そして動きの伝達は水管の各先端にて逆であるため、機械の自動化において逆動きをする歯止め装置により浮きの全ての動きの再利用が可能となる。
【００１７】
３８,４５,５２,５５の点はベアリング付の小さなローラーであり、水管５０と５１における浮きの上昇と共に動＜。
【００１８】
歯車９は四つのチェーンに繋がっていることは注意すべき点であり、チェーン６は歯車３２と３３から出て歯車９にて終わり、他のチェーン７は歯車３６と３７から出て歯車９にて終わり、他のチェーン１５は歯車９から出て歯止め装置付の歯車１０に繋がっており、他のチェーン１６は歯車９から出て歯車１１に繋がっている。側面図であるため、その全ての動きは機械の反対側でも同じく起こる。
【００１９】
ここで提案する機械の代替バージョンは図３にて示される通り、中央軸５９が可動ブッシング６０と６１に取り付けられ、二つの大きな滑車６２と６３がそれに取り付けられ、その動きをベルト６４と６５により軸６８に繋がっている滑車６６と６７に伝えられ、その軸には滑車６９が取り付けられており、ベルト７０と７１を通じて動きを伝え中央軸５９に繋がっている発電機７２を動かす。更に大きい滑車７３があり、それは小さい滑車７４と７５に乗せてあり、その二つはモーター７７に繋がれたチェーン７６により引かれる。そのモーターが動くと滑車７４と７５が動き、そこで支えられている機械が回転するために大きな力の差が生じ、その結果としてかなり重要な力を得ることが出来、結果的に完全稼動する完壁な発電機械を構築することが出来る。
【符号の説明】
【００２０】
７８,７９・・・支柱
８０,８１・・・電気モーターのべルト
【図１】
2013518206.tif 000003
【図２】
2013518206.tif 000004
【図３】
2013518206.tif 000005
【国際調査報告】
2013518206.tif 000006
2013518206.tif 000007
2013518206.tif 000008
2013518206.tif 000009
2013518206.tif 000010
2013518206.tif 000011
2013518206.tif 000012
2013518206.tif 000013